(57)【要約】【課題】  網から送出される音声ガイダンス送出に連動してポーズ時間を調整することが可能な短縮ダイヤルの送出方法および電話装置を提供する。【解決手段】  電話装置に、網から送出されるトーン・音声の有無と停止を分析するトーン・音声有無分析手段Ｆ３２と、ポーズ種別指定情報をダイヤル情報と関連付けて登録できるポーズ付短縮ダイヤル登録手段Ｆ３７と、前記ポーズ付短縮ダイヤル登録手段Ｆ３７に登録されたポーズ種別指定情報に従ってダイヤル情報を送出する短縮ダイヤル分析送出手段Ｆ３４を備え、前記ポーズ種別指定情報が音声連動ポーズの場合は前記トーン・音声有無分析手段Ｆ３２が音声停止を検出後に以降のダイヤル情報を送出する構成とし、音声ガイダンス送出時間に連動してポーズ時間を調整することを可能にした。【選択図】  図２
2007258825.tif 000002
【特許請求の範囲】
【請求項１】
短縮ダイヤル発信機能付き電話装置であって、短縮ダイヤル発信時に相手応答を検出し一定時間経過まではダイヤル送出を停止する相手応答連動ポーズ、または網から送出されるトーン若しくは音声の停止を検出するまでダイヤル送出を停止する音声連動ポーズ、または一定時間ダイヤル送出を停止する無条件ポーズのいずれかを指定するポーズ種別指定情報をダイヤル情報と関連付けて登録することができるポーズ付短縮ダイヤル登録手段と
前記ポーズ付短縮ダイヤル登録手段に登録された短縮ダイヤル情報の内容に従ってダイヤル情報を送出する短縮ダイヤル分析送出手段を備え、
前記短縮ダイヤル分析送出手段は、
前記ポーズ種別指定情報が相手応答連動ポーズであった場合は、相手応答を検出した後に予め設定された所定時間のポーズ挿入し、次のポーズ種別指定情報までのダイヤルを送出し、
前記ポーズ種別指定情報が音声連動ポーズであった場合は、所定時間のトーン若しくは音声の停止を検出後に次のポーズ種別指定情報までのダイヤルを送出することを特徴とするポーズ付短縮ダイヤル発信機能付き電話装置。
【請求項２】
請求項１記載の電話装置において、
前記ポーズ種別指定情報が相手応答連動ポーズで相手応答を検出できなかった場合、
網から送出される呼出音の停止を検出した後に、別のトーン若しくは音声を検出した時点で予め設定された所定時間のポーズを挿入し、次のポーズ種別指定情報までのダイヤルを送出することを特徴とするポーズ付短縮ダイヤル発信機能付き電話装置。
【請求項３】
短縮ダイヤル発信機能付き電話装置における短縮ダイヤル発信方法であって、短縮ダイヤル発信時に相手応答を検出し一定時間経過まではダイヤル送出を停止する相手応答連動ポーズ、または網から送出されるトーン若しくは音声の停止を検出するまでダイヤル送出を停止する音声連動ポーズ、または一定時間ダイヤル送出を停止する無条件ポーズのいずれかを指定するポーズ種別指定情報をダイヤル情報と関連付けて登録することができるポーズ付短縮ダイヤル登録ステップと、
前記ポーズ付短縮ダイヤル登録ステップで登録された短縮ダイヤル情報の内容に従ってダイヤル情報を送出する短縮ダイヤル分析送出ステップを備え、
前記短縮ダイヤル分析送出ステップは、
前記ポーズ種別指定情報が相手応答連動ポーズであった場合は、相手応答を検出した後に予め設定された所定時間のポーズ挿入し、次のポーズ種別指定情報までのダイヤルを送出し、
前記ポーズ種別指定情報が音声連動ポーズであった場合は、所定時間のトーン若しくは音声の停止を検出後に次のポーズ種別指定情報までのダイヤルを送出することを特徴とするポーズ付短縮ダイヤル発信方法。
【請求項４】
請求項３記載の短縮ダイヤル発信方法において、
前記ポーズ種別指定情報が相手応答連動ポーズで相手応答を検出できなかった場合、
網から送出される呼出音の停止を検出した後に、別のトーン若しくは音声を検出した時点で予め設定された所定時間のポーズを挿入し、次のポーズ種別指定情報までのダイヤルを送出することを特徴とするポーズ付短縮ダイヤル発信方法。
【請求項５】
１以上の外線と１以上の内線を収容するボタン電話主装置と、前記内線に接続されるボタン電話機とからなるボタン電話装置であって、前記ボタン電話主装置には短縮ダイヤル発信時に相手応答を検出し一定時間経過まではダイヤル送出を停止する相手応答連動ポーズ、または網から送出されるトーン若しくは音声の停止を検出するまでダイヤル送出を停止する音声連動ポーズ、または一定時間ダイヤル送出を停止する無条件ポーズのいずれかを指定するポーズ種別指定情報をダイヤル情報と関連付けて登録することができるポーズ付短縮ダイヤル登録手段と、
前記ポーズ付短縮ダイヤル登録手段に登録された短縮ダイヤル情報の内容に従ってダイヤル情報を送出する短縮ダイヤル分析送出手段を備え、
前記短縮ダイヤル分析送出手段は、
前記ポーズ種別指定情報が相手応答連動ポーズであった場合は、相手応答を検出した後に予め設定された所定時間のポーズ挿入し、次のポーズ種別指定情報までのダイヤルを送出し、
前記ポーズ種別指定情報が音声連動ポーズであった場合は、所定時間のトーン若しくは音声の停止を検出後に次のポーズ種別指定情報までのダイヤルを送出することを特徴とするボタン電話装置。
【請求項６】
請求項５記載のボタン電話装置において、
前記ポーズ種別指定情報が相手応答連動ポーズで相手応答を検出できなかった場合、
網から送出される呼出音の停止を検出した後に、別のトーン若しくは音声を検出した時点で、予め設定された所定時間のポーズを挿入し、次のポーズ種別指定情報までのダイヤルを送出することを特徴とするボタン電話装置。
【発明の詳細な説明】
【技術分野】
【０００１】
本発明は、短縮ダイヤル発信時に挿入するポーズ時間の調整を行う電話装置に関する。
【背景技術】
【０００２】
一般電話機、ボタン電話システム、ＰＢＸ（構内交換機）、ファクシミリ等（以下、電話装置と称する）では、事前に相手の電話番号を短縮ダイヤルに登録しておくと、短縮ダイヤル発信操作、または、相手番号を登録したワンタッチボタン等を押下する操作で簡単に発信することができる機能を一般的に具備している。
【０００３】
また、電話の発信操作以外にも、通信事業者側の転送サービス等の設定操作を行うとき操作手順が長くなる場合があるため、設定操作内容を短縮ダイヤルに登録しておくと操作が簡単になり、且つ、操作ミスを防止できる。しかし、前記通信事業者側の転送サービス等の設定操作は、網から設定ステップ毎に送出される音声ガイダンスが終了時点に近づかないとダイヤル情報を受け付けてくれない場合があり、連続してダイヤル送出を行うと正常に設定できないことがある。そのため、短縮番号に登録するダイヤル情報の途中にポーズを登録し、ポーズ部分にて一旦ダイヤル送出を停止することが可能な電話装置も実用化されているが、網から送出される音声ガイダンス（音声案内）の送出時間は設定内容によって異なり、更にガイダンス送出途中でもダイヤル操作を受け付けるものと受け付けないものがある。その回避策として、複数個のポーズを連続して登録すれば良いが、動作確認を行いながらポーズの個数を調整する必要があり、実際の登録操作は容易ではない。また、ポーズ時間を長くする場合にはポーズの数が多くなり、短縮ダイヤルに登録する桁数が増え、登録桁数に制限がある場合は全操作を登録できなくなることもある。
【０００４】
そこで、ダイヤル情報を入力するときに、ダイヤル入力の中断時間が所定時間以上であると検知された場合に、直前に入力されたダイヤル情報に中断時間に相当するポーズ時間を有するポーズ情報を付加して記憶し、以降の発信操作時にダイヤル情報と共に事前に操作したときの中断時間に相当するポーズを自動挿入する技術がある（例えば、特許文献１）。
【０００５】
しかしながら、前記ポーズを自動挿入する技術では、ダイヤル情報を入力するときに実際に発信操作を行い、網から送出される音声ガイダンスを聞きながら操作を行わないと必要なポーズ挿入時間を把握することが困難で、事前にダイヤル情報を登録することができず、更に、通信事業者側の転送サービス等の設定操作を登録する場合、ダイヤル情報の登録と共に通信事業者側の転送サービス等の設定操作も行われてしまうため、設定が不要なときは設定解除の操作も合わせて行う必要があり、現実的でない。
【０００６】
【特許文献１】特開平０６−３３４７２０号公報
【発明の開示】
【発明が解決しようとする課題】
【０００７】
解決しようとする問題点は、実際に発信操作を行わなくても音声ガイダンス送出時間に連動してポーズ時間を調整することが可能な短縮ダイヤル発信方法および電話装置を提供することである。
【課題を解決するための手段】
【０００８】
上記課題を解決するために、第１の発明は、短縮ダイヤル発信機能付き電話装置であって、短縮ダイヤル発信時に相手応答を検出し一定時間経過まではダイヤル送出を停止する相手応答連動ポーズ、または網から送出されるトーン若しくは音声の停止を検出するまでダイヤル送出を停止する音声連動ポーズ、または一定時間ダイヤル送出を停止する無条件ポーズのいずれかを指定するポーズ種別指定情報をダイヤル情報と関連付けて登録することができるポーズ付短縮ダイヤル登録手段と、前記ポーズ付短縮ダイヤル登録手段に登録された短縮ダイヤル情報の内容に従ってダイヤル情報を送出する短縮ダイヤル分析送出手段を備え、前記短縮ダイヤル分析送出手段は、前記ポーズ種別指定情報が相手応答連動ポーズであった場合は、相手応答を検出した後に予め設定された所定時間のポーズ挿入し、次のポーズ種別指定情報までのダイヤルを送出し、前記ポーズ種別指定情報が音声連動ポーズであった場合は、所定時間のトーン若しくは音声の停止を検出後に次のポーズ種別指定情報までのダイヤルを送出することを特徴とする。
【０００９】
また、第２の発明は、第１の発明記載の電話装置において、前記ポーズ種別指定情報が相手応答連動ポーズで相手応答を検出できなかった場合、網から送出される呼出音の停止を検出した後に、別のトーン若しくは音声を検出した時点で予め設定された所定時間のポーズを挿入し、次のポーズ種別指定情報までのダイヤルを送出することを特徴とする。
【発明の効果】
【００１０】
本発明によれば、ポーズ種別指定情報をダイヤル情報と関連付けて登録することにより相手応答後に一定時間のポーズを挿入してから送出すべきダイヤル情報、音声ガイダンス終了後に送出すべきダイヤル情報、および、無条件で一定時間のポーズを挿入してから送出すべきダイヤル情報を短縮ダイヤル中に事前登録でき、特に、音声ガイダンス終了後に送出すべきダイヤル情報は、音声ガイダンスの送出時間が変動しても確実に音声ガイダンス終了後に送出することができ、通信事業者側の転送サービス等に依存しないというメリットがある。
【発明を実施するための最良の形態】
【００１１】
以下、本発明の実施形態について説明する。なお、以下の実施形態では、電話装置のうちボタン電話装置に適用した場合を例にあげ、ボタン電話装置としてボタン電話主装置と該ボタン電話主装置に接続された有線式ボタン電話機を例にあげて説明する。しかし、本発明はこれに限定されない。例えば、ボタン電話装置の場合に有線式ボタン電話機の代わりに無線式ボタン電話機を用いることができる。また、ボタン電話装置ではなくＰＢＸ（構内交換機）を用いても良い。また、一般電話機やファクシミリで実施しても良い。
【００１２】
図１は、本発明に係るボタン電話装置を構成するボタン電話主装置１０と、内線電話機２０の構成概略図である。図２は、本発明に係るボタン電話主装置１０の中央制御部１１と、記憶部１２の機能ブロック図である。図３は、本発明に係るボタン電話主装置１０の中央制御部１１内の短縮ダイヤル発信処理に関するフローチャートである。
【００１３】
まず、図１を用いてボタン電話装置を構成するボタン電話主装置１０と、内線電話機２０の構成の概要を説明する。ボタン電話装置は、１以上の外線および複数の内線を収容するボタン電話主装置１０と、該ボタン電話主装置１０に接続された複数の内線電話機２０−１〜２０−ｎから構成される。
【００１４】
ボタン電話主装置１０は、少なくとも、中央制御部１１と、記憶部１２と、１以上の外線回路１３−１〜１３−ｍと、外線回路１３−１〜１３−ｍに付随するダイヤル送出部１４−１〜１４−ｍと、トーン・音声検出部１５と、通話路スイッチ１６と、複数の内線回路１７−１〜１７−ｎを有して構成される。
【００１５】
中央制御部１１は、ボタン電話主装置１０の各回路からの入力情報（ボタン電話機２０からの情報も含む）に対する分析や判断、記憶部１１に対する情報の入出力、各回路の制御を行う。
【００１６】
記憶部１２は、通常の記憶部としての働きの他に、短縮ダイヤル情報が記憶される。
【００１７】
外線回路１３−１〜１３−ｍは、網（以下、外線ともいう）に接続されるインタフェース回路であり、発信時の相手応答検出回路も含んでいる。本発明で開示している外線とは一般公衆回線、ＩＰ電話事業者の回線、専用線、私設線、携帯電話等の無線使用回線（無線／有線交換アダプタ使用）、等も含まれる。また、本実施形態では、一般公衆回線のアナログ電話網の場合について説明する。
【００１８】
ダイヤル送出部１４−１〜１４−ｍは、外線発信時に必要な相手番号や、相手応答後に送出するダイヤル情報を送出する回路である。本実施例では外線回路１３に接続されているが、ダイヤル情報としてＤＴＭＦ信号（プッシュ信号、ＰＢ信号とも呼ばれている）を送出する場合は外線回路毎のダイヤル送出部を設けず、記憶部１２に記憶されたＤＴＭＦ信号データを元に通話路スイッチ１６経由で外線回路１３に送出する構成としても良い。なお、収容するアナログ電話網がダイヤルパルス回線の場合は、ダイヤル信号としてダイヤルパルスを送出し、相手応答後にＤＴＭＦ信号に自動切替を行う。
【００１９】
トーン・音声検出部１５は、外線から送られてくる呼出音や話中音、等のトーンおよび音声ガイダンスの有無を検出するための回路で、通話路スイッチ１６経由で外線回路１３に接続される。トーン・音声検出部１５では規定レベル以上の信号の入力有無により出力をＨレベルまたはＬレベルとし、得られた出力は中央制御部１１に入力される。なお、本実施例では、トーン・音声検出部１５は、外線回路１３とは独立させ複数の回線で共用する構成としているが、外線回路１３に１対１で対応させる構成でも良い。
【００２０】
通話路スイッチ１６は、ボタン電話主装置１０内の交換処理（外線回線１３−１〜１３−ｍと内線回路１７−１〜１７−ｎの接続、トーン・音声検出部１５と外線回線１３−１〜１３−ｍの接続、他）を行う。
【００２１】
内線回路１７−１〜１７−ｎは、ボタン電話機２０−１〜２０−ｎと音声や制御情報の通信を行うためのインタフェース回路である。
【００２２】
また、ボタン電話機２０は、少なくとも、制御部２１と、データ送受信回路２２と、音声処理部２３と、送受話器２４と、スピーカ２５と、ダイヤルキー２６と、外線キー２７と、機能キー２８と、ＬＣＤ表示器２９を有して構成される。
【００２３】
制御部２１は、ボタン電話機２０内の各回路からの入力情報に対する解析や判断、各回路の制御を行う。
【００２４】
データ送受信回路２２は、内線を介してボタン電話主装置１０と音声データ、制御データの通信を行うためのインタフェース回路である。
【００２５】
音声処理部２３は、音声のデジタル／アナログ変換、アナログ／デジタル変換と、ボタン電話機２０内の送受話器２４やスピーカ２５等との通話パス切替および音量を制御する。
【００２６】
送受話器２４は、一般的な通話時の送話、受話を行うためのハンドセットである。
【００２７】
スピーカ２５は、外線着信音の送出や、スピーカによる拡声受話に使用する。
【００２８】
ダイヤルキー２６は、発信時に電話番号や短縮ダイヤルを入力する手段であり、また、ボタン電話装置において一般的に用いられる短縮ダイヤルの登録や各種設定の入力手段としても用いられる。
【００２９】
外線キー２７は、複数ある外線から使用したい外線を選択するための複数のボタンであり、当該ボタンに対応して外線の状態（着信中、使用中、保留中、他）を表示するＬＥＤ表示器を備えている。
【００３０】
機能キー２８は、複数備えられ、ボタン電話装置で一般的に使用する“保留”ボタン、“拡声受話”ボタン、“設定”ボタンの他、短縮ダイヤル発信時に使用する“短縮”ボタンや短縮ダイヤル発信操作をワンタッチで行う“ワンタッチダイヤル”ボタン等の入力手段である。
【００３１】
ＬＣＤ表示器２９は、着信時には発信者情報等を表示し、発信時にはダイヤルした番号や通話時間等を表示し、短縮ダイヤルの登録や各種設定の入力を行うときは入力データを表示する。
【００３２】
次に、本発明に係るボタン電話主装置１０の中央制御部１１と記憶部１２の機能構成を、図２を用いて説明する。中央制御部１１は、少なくとも、ダイヤル送出制御手段Ｆ３０と、応答検出手段Ｆ３１と、トーン・音声有無分析手段Ｆ３２と、通話路制御手段Ｆ３３と、短縮ダイヤル分析送出手段Ｆ３４と、データ送受信手段Ｆ３５と、受信データ分析手段Ｆ３６を有し、記憶部１２は、ポーズ付短縮ダイヤル登録手段Ｆ３７を有して構成される。
【００３３】
ダイヤル送出制御手段Ｆ３０は、ダイヤル送出部１４に対し外線に送出するダイヤルを指示する機能を有している。本実施例ではダイヤル送出部１４を用いて直接ダイヤル送出部１４にダイヤル送出の指示を行う構成としているが、外線にダイヤル情報としてＤＴＭＦ信号を送出する場合は、記憶部１２に記憶されたＤＴＭＦ信号データを元にＤＴＭＦ信号を通話路スイッチ１６経由で外線回路１３に送出する構成としても良い。
【００３４】
応答検出手段Ｆ３１は、外線回路１３からのデータにより、外線発信後の相手応答を検出する機能を有し、相手応答の検出結果（相手応答検出情報）は短縮ダイヤル分析送出手段Ｆ３４に通知される。なお、相手応答の検出は公知であるため省略する。
【００３５】
トーン・音声有無分析手段Ｆ３２は、外線回路１３に通話路スイッチ経由１６で接続されたトーン・音声検出部１５から出力されたトーン・音声有無（ＨレベルまたはＬレベル）を所定の間隔でスキャンし、所定の回数トーン・音声無し（全てＬレベル、論理は逆でも良い）となるまではトーン・音声は送出中であると判断し、所定の回数トーン・音声無しであることを検出したらトーンや音声が停止したと判断する機能を有し、また、相手応答連動ポーズまでのダイヤルを送出後にトーン・音声検出部１５から出力されたトーン・音声有無（ＨレベルまたはＬレベル）が所定の周期で繰り返されているか分析することにより、網からの呼出音や話中音の有無を判断する機能も有している。トーン・音声送出中、トーン・音声の停止、呼出音の有無、話中音の有無、等の判断した結果は短縮ダイヤル分析送出手段Ｆ３４に通知される。なお、トーン・音声有無をスキャンする間隔、およびトーン・音声が停止したと判断するまでのスキャン回数は設定により変更可能にしても良い。
【００３６】
通話路制御手段Ｆ３３は、各回路の通話路を接続する指示を通話路スイッチ１６へ出す機能を有している。例えば、網から送出されるトーンや音声ガイダンス有無の分析が必要な場合は、短縮ダイヤル分析送出手段Ｆ３４からの指示により、当該外線回路１３とトーン・音声検出部１５間の通話路を接続する指示を通話路スイッチ１６へ出す。
【００３７】
短縮ダイヤル分析送出手段Ｆ３４は、ボタン電話機２０にて短縮ダイヤル発信操作が行われ短縮ダイヤルが受信データ分析手段Ｆ３６経由で通知されたとき、ポーズ付短縮ダイヤル登録手段Ｆ３７に記憶されている当該短縮ダイヤルの登録内容を先頭桁より分析し、ダイヤル情報であった場合は、ダイヤル送出制御手段Ｆ３０に次のポーズ種別指定情報までのダイヤル情報を送出し、また、登録内容がポーズ種別指定情報の「応答連動ポーズ」であった場合は一旦ダイヤル情報の送出を停止し、応答検出手段Ｆ３１から相手応答検出情報の通知、またはトーン・音声有無分析手段Ｆ３２から呼出音有りの情報の通知を受けた後に別のトーン（話中音を除く）・音声送出中の情報の通知を受けた段階で所定時間（例えば２秒、０秒であっても良い）のポーズ挿入後にダイヤル送出制御手段Ｆ３０に次のポーズ種別指定情報までのダイヤル情報を送出し、また、登録内容がポーズ種別指定情報の「音声連動ポーズ」であった場合は一旦ダイヤル情報の送出を停止し、トーン・音声有無分析手段Ｆ３２からトーン・音声停止の情報の通知を受けた段階でダイヤル送出制御手段Ｆ３０に次のポーズ種別指定情報までのダイヤル情報を送出し、また、登録内容がポーズ種別指定情報であり「無条件ポーズ」であった場合は、所定時間（例えば３秒）のポーズ挿入後にダイヤル送出制御手段Ｆ３０に次のポーズ種別指定情報までのダイヤル情報を送出する機能を有している。なお、各ポーズ時間は設定により個々に変更することもできる。
【００３８】
データ送受信手段Ｆ３５は、ボタン電話機２０内のダイヤルキー２６、外線キー２７、機能キー２８の操作情報を内線回路１７経由で受信する機能を有している。また、ボタン電話機２０内の外線キー２７に具備したＬＥＤ表示器への外線状態（着信中、使用中、保留中、他）表示情報、ＬＣＤ表示器２９への表示情報、およびスピーカ２５への着信鳴動情報などを内線回路１７経由で送出する機能も有している。
【００３９】
受信データ分析手段Ｆ３６は、データ送受信手段Ｆ３５から通知されたボタン電話機２０の操作情報を分析する機能を有し、データ送受信手段Ｆ３５から短縮ダイヤル発信の操作情報を受信すると当該短縮ダイヤルを短縮ダイヤル分析送出手段Ｆ３４に通知し、データ送受信手段Ｆ３５から短縮ダイヤル登録の操作情報を受信するとポーズ付短縮ダイヤル登録手段Ｆ３７に対して該当する短縮ダイヤルのダイヤル情報およびポーズ種別指定情報を登録する。
【００４０】
ポーズ付短縮ダイヤル登録手段Ｆ３７は、短縮ダイヤル分析送出手段Ｆ３４が短縮ダイヤルの登録内容を分析するときに照合され、短縮ダイヤル毎に外線に送出するダイヤル情報およびポーズ種別指定情報「相手応答連動ポーズ」、「音声連動ポーズ」および「無条件ポーズ」を記憶する機能を有している。また、前記ポーズ種別指定情報は連続で登録することもでき、必ずしも途中にダイヤル情報を挿入する必要はない。（例）に示す短縮ダイヤル００１のように、ダイヤル情報「１ＸＸ」の後に「相手応答連動ポーズ」である＜ＰＣ＞の後にダイヤル情報を登録せず「音声電動ポーズ」である＜ＰＶ＞を続けて登録することも可能である。なお、短縮ダイヤルの登録内容は、ボタン電話機２０からの登録操作以外に、パソコンによる設定、遠隔にて電話回線等を経由した設定等も可能であり、登録手段は特に限定しない。
【００４１】
次に、上記実施の形態におけるボタン電話主装置１０側の外線捕捉後の短縮ダイヤル発信処理の流れについて、図３を用いて説明する。なお、図３において、各ステップの順番は一例を示すものであり、作用・効果を変更しない範囲で任意に入れ替えても良い。また、外線を捕捉するまでの流れ、およびダイヤル送出完了後の流れは通常の発信と同様で公知であるため、省略している。
【００４２】
まず、ボタン電話機２０が外線を捕捉し短縮ダイヤル発信操作を行うと、短縮ダイヤル分析送出手段Ｆ３２は、受信データ分析手段Ｆ３６経由で短縮ダイヤルを受信し、ポーズ付短縮ダイヤル登録手段Ｆ３７に記憶されている当該短縮ダイヤルの登録内容を全桁分析し（Ｓ５１）、ダイヤル情報にポーズ種別指定情報が含まれているかを判定する（Ｓ５２）。
【００４３】
ステップＳ５２で当該短縮ダイヤルの登録内容にポーズ種別指定情報が含まれていない場合は（Ｎｏ）、短縮ダイヤル分析送出手段Ｆ３４は当該短縮ダイヤルのダイヤル情報全桁の送出処理をダイヤル送出制御手段Ｆ３０に指示し（Ｓ５３）、ダイヤル送出を終了する。
【００４４】
ステップＳ５２で当該短縮ダイヤルの登録内容にポーズ種別指定情報が含まれている場合は（Ｙｅｓ）、引き続きポーズ種別指定情報が「無条件ポーズ」のみかを判定する（Ｓ５４）。
【００４５】
ステップＳ５４で「無条件ポーズ」のみでない場合は（Ｎｏ）、トーン・音声検出部１５と当該外線回路１３の通話路を音声スイッチ１６経由で接続し（Ｓ５５）、網からのトーンおよび音声ガイダンスを受信可能な状態にした後でステップＳ５６へ遷移する。「無条件ポーズ」のみの場合は（Ｙｅｓ）、ステップＳ５５の処理は行わずにステップＳ５６へ遷移する。
【００４６】
当該短縮ダイヤルの登録内容を先頭桁より分析し（既に送出済のダイヤル情報がある場合は、ダイヤル送出を停止したポーズ種別指定情報より後の桁より分析）、ポーズ種別指定情報が有るかを判定する（Ｓ５６）。
【００４７】
ステップＳ５６でポーズ種別指定情報が有る場合は（Ｙｅｓ）、短縮ダイヤル分析送出手段Ｆ３４は当該短縮ダイヤルの当該ポーズ種別指定情報までのダイヤル情報の送出処理をダイヤル送出制御手段Ｆ３０に指示し（Ｓ５７）、当該ポーズ種別指定情報が「無条件ポーズ」であるかの判定を行う（Ｓ５８）。
【００４８】
ステップＳ５８で当該ポーズ種別指定情報が「無条件ポーズ」の場合は（Ｙｅｓ）、「無条件ポーズ」専用の所定時間（例えば３秒）経過まで以降のダイヤル送出を待ち（Ｓ５９）、ステップＳ５６に戻って当該短縮ダイヤルの登録内容の残りの桁にポーズ種別指定情報があるかの判定を行う。
【００４９】
ステップＳ５８で当該ポーズ種別指定情報が「無条件ポーズ」でない場合は（Ｎｏ）、当該ポーズ種別指定情報が「相手応答連動ポーズ」であるかの判定を行う（Ｓ６０）。
【００５０】
ステップＳ６０で当該ポーズ種別指定情報が「相手応答連動ポーズ」の場合は（Ｙｅｓ）、短縮ダイヤル分析送出手段Ｆ３４は、応答検出手段Ｆ３１からの応答検出情報の有無を分析し、相手応答の検出の有無を判定する（Ｓ６１）。
【００５１】
ステップ６１で相手応答を検出した場合は（Ｙｅｓ）、「相手応答連動ポーズ」専用の所定時間（例えば２秒、０秒でも良い）経過まで以降のダイヤル送出を待ち（Ｓ６２）、ステップＳ５６に戻って当該短縮ダイヤルの登録内容の残りの桁にポーズ種別指定情報があるかの判定を行う。
【００５２】
ステップ６１で相手応答を検出しない場合は（Ｎｏ）、短縮ダイヤル分析送出手段Ｆ３４はトーン・音声分析手段Ｆ３２から呼出音有りの情報の通知を受けた後に別のトーン（話中音を除く）・音声送出中の情報の通知を受けたかを分析し、呼出音停止検出後の別のトーン・音声の検出有無を判定する（Ｓ６３）。
【００５３】
ステップＳ６３で呼出音停止検出後の別のトーン・音声を検出した場合は（Ｙｅｓ）、「相手応答連動ポーズ」専用の所定時間（例えば２秒、０秒でも良い）経過まで以降のダイヤル送出を待ち（Ｓ６２）、ステップＳ５６に戻って当該短縮ダイヤルの登録内容の残りの桁にポーズ種別指定情報があるかの判定を行う。
【００５４】
ステップＳ６３で呼出音停止検出後の別のトーン・音声を検出しない場合は（Ｎｏ）、ステップＳ６１に戻りステップ６１以降の分析処理を繰り返す。なお、トーン・音声有無分析手段Ｆ３２が話中音を検出したときや所定時間呼出音を検出しなかった場合は処理を終了とするが、短縮ダイヤル発信処理の流れには直接関係しないため図３では省略している。
【００５５】
ステップＳ６０で当該ポーズ種別指定情報が「相手応答連動ポーズ」でない場合は（Ｎｏ）、当該ポーズ種別指定情報は「音声連動ポーズ」となり、トーン・音声有無分析手段Ｆ３２は音声が所定時間（例えば６秒）無音になったかを分析し（Ｓ６５）、所定時間（例えば６秒）無音になった場合はステップＳ５６に戻って当該短縮ダイヤルの登録内容の残りの桁にポーズ種別指定情報があるかの判定を行う。
【００５６】
以降、ステップＳ５６で当該短縮ダイヤルの登録内容の残りの桁にポーズ種別指定情報が無い状態（Ｎｏ）となるまで、ステップＳ５６からステップＳ５９またはステップＳ６２またはステップＳ６５の処理を繰り返す。
【００５７】
ステップＳ５６で当該短縮ダイヤルの登録内容の残りの桁にポーズ種別指定情報が無い場合は（Ｎｏ）、短縮ダイヤル分析送出手段Ｆ３４は当該短縮ダイヤルの残りのダイヤル情報の送出処理をダイヤル送出制御手段Ｆ３０に指示し（Ｓ６６）、ダイヤル送出を終了する。
【図面の簡単な説明】
【００５８】
【図１】本発明に係るボタン電話主装置１０と、ボタン電話機２０の構成概略図。
【図２】本発明に係る中央制御部１１と、記憶部１２の機能ブロック図。
【図３】本発明に係るボタン電話主装置１０の中央制御部１１内の短縮ダイヤル発信処理に関するフローチャート。
【符号の説明】
【００５９】
１０  ボタン電話主装置
１１  中央制御部
１２  記憶部
１３  外線回路
１４  ダイヤル送出部
１５  トーン・音声検出部
１６  通話路スイッチ
１７  内線回路
２０  ボタン電話機
２１  制御部
２２  データ送受信回路
２３  音声処理部
２４  送受話器
２５  スピーカ
２６  ダイヤルキー
２７  外線キー
２８  機能キー
２９  ＬＣＤ表示器
Ｆ３０  ダイヤル送出制御手段
Ｆ３１  応答検出手段
Ｆ３２  トーン・音声有無分析手段
Ｆ３３  通話路制御手段
Ｆ３４  短縮ダイヤル分析送出手段
Ｆ３５  データ送受信手段
Ｆ３６  受信データ分析手段
Ｆ３７  ポーズ付短縮ダイヤル登録手段
【図１】
2007258825.tif 000003
【図２】
2007258825.tif 000004
【図３】
2007258825.tif 000005